(57)【要約】【課題】放送番組を録画及び再生可能な記録再生装置において、録画コンテンツは圧縮されて記録されることがある。圧縮率を高めれば長時間録画時の記録媒体への記録効率は向上するが、その反面、再生時の画質が低下する。【解決手段】番組のジャンル情報や、コンテンツを符号化する際に使用した設定パラメータに加え、記録再生装置が備える高画質化処理部の設定パラメータなどの再生時に使用される情報に基づき、高画質録画が可能かつ圧縮効率の良い圧縮パラメータを算出し、そのパラメータに基づき圧縮し記録を行う。【選択図】  図２
2011139193.tif 000002
【特許請求の範囲】
【請求項１】
コンテンツが入力される入力部と、
前記入力部に入力されたコンテンツを記録する記録部と、
前記記録部で記録する際にコンテンツを圧縮処理する圧縮部と、
前記記録部に記録したコンテンツを出力する出力部とを有し、
前記圧縮部は、前記出力部に接続される表示装置の表示性能に応じて前記コンテンツの圧縮処理を行うことを特徴とする記録装置。
【請求項２】
放送波を受信する受信部と、
前記受信部で受信した放送波から映像データ、音声データ、及びその他のデータを分離する分離部と、
前記分離部で分離した映像データ、音声データ、及びその他のデータを解析する情報解析部と、
映像データ及び音声データを復号する復号部と、
前記復号部で復号された映像データの画質を補正する画質補正処理部と、
前記画質補正処理部から出力される映像データを表示する表示部と、
前記分離部で分離した映像データ、音声データ、及びその他のデータを記録する記録部と、
前記記録部で映像データ及び音声データを記録する際に、前記情報解析部の解析結果と前記画質補正処理部で用いる画質補正パラメータとに基づいて記録するデータを圧縮処理する圧縮部と、を備え
ることを特徴とする記録装置。
【請求項３】
前記画質補正処理部で用いるパラメータを前記圧縮部における圧縮処理で用いる圧縮パラメータに変換する変換部を有し、
前記画質補正処理部における画質の補正は、１枚以上のフレームを用いて解像度を向上させる超解像処理であり、
前記変換部は、前記画質補正処理部において超解像処理に用いられるパラメータを圧縮パラメータに変換することを特徴とする請求項２の記録装置。
【請求項４】
前記画質補正処理部で用いるパラメータを前記圧縮部における圧縮処理で用いる圧縮パラメータに変換する変換部を有し、
前記画質補正処理部は、前記表示部が表示可能な映像のサイズ及び設定された映像のサイズを取得し、表示する映像のサイズに応じて前記画質補正パラメータを変更し、
前記変換部は変更された画質補正パラメータを圧縮パラメータに変換することを特徴とする請求項２の記録装置。
【請求項５】
前記記録装置を使用する環境に関する情報を検出する環境情報検出部と、
前記環境情報検出部で検出された情報に基づき前記圧縮部における圧縮処理で用いる圧縮パラメータに変換する変換部とを備え、
前記画質補正処理部は前記環境情報検出部により検出した環境に関する情報に基づき前記画質補正パラメータを変更することを特徴とする請求項２に記載の記録装置
【請求項６】
前記画質補正処理部で用いるパラメータを前記圧縮部における圧縮処理で用いる圧縮パラメータに変換する変換部を有し、
前記画質補正処理部で用いるパラメータは前記記録装置の使用者が任意に変更できることを特徴とする請求項２の記録装置
【請求項７】
前記情報解析部で解析された音声データのフォーマットに基づき前記圧縮部で用いる圧縮パラメータを変換する変換部を有することを特徴とする請求項２の記録装置
【請求項８】
請求項２の記録装置であって、
前記圧縮部は前記画質補正処理部から出力される映像データを再度圧縮処理し、
前記記録部は前記圧縮部で再度圧縮処理されたデータを記録することを特徴とする記録装置
【請求項９】
請求項８の記録装置であって、
ネットワークを介してデータの送受信を行うネットワーク処理部を備え、
前記圧縮部で再度圧縮処理されたデータを前記ネットワーク処理部を介して出力することを特徴とする記録装置
【請求項１０】
放送波を受信するステップと、
受信した放送波から映像データ、音声データ、及びその他のデータを分離するステップと、
分離した映像データ、音声データ、及びその他のデータを解析するステップと、
映像データ及び音声データを復号するステップと、
復号された映像データの画質を補正するステップと、
画質が補正された映像データを表示するステップと、
分離した映像データ、音声データ及びその他のデータを記録するステップと、
映像データ及び音声データを記録する際に、音声データ、及びその他のデータを解析した結果と画質の補正に用いる画質補正パラメータとに基づいて記録するデータを圧縮処理するステップと、
を備えることを特徴とする記録方法。
【請求項１１】
請求項２の記録装置であって、
前記圧縮部におけるデータの圧縮処理について、前記情報解析部の解析結果と前記画質補正処理部で用いる画質補正パラメータとに基づかないでデータの圧縮処理を行うことを選択可能であることを特徴とする記録装置。
【請求項１２】
請求項１１の記録装置であって、
記録されたデータの一覧を表示する場合に、記録されたデータが前記情報解析部の解析結果と前記画質補正処理部で用いる画質補正パラメータとに基づいて圧縮処理されたか否かを示す表示を行うことを特徴とする記録装置。
【発明の詳細な説明】
【技術分野】
【０００１】
技術分野は、映像や音声データを記録、再生する装置に関する。
【背景技術】
【０００２】
上記技術分野に関し、特許文献１には「電子番組表で示されるジャンル情報により、録画番組の解像度と圧縮符号化率を決めることにより、最適圧縮録画を行う」（特許文献１［要約］参照）ことを課題とし、その解決手段として「テレビ映像は、第１情報入力手段１にてチャネルが選択され、動画データとして取りこまれ、圧縮符号化部９で、音情報も含めて、指定される圧縮符号化率で圧縮情報が作成され、かつ、圧縮定義データ付加部１０で、その圧縮符号化率を宣言付加した上で、記録部１１に、圧縮符号化率制御部５で指定された圧縮条件で記録される。第２情報入力手段２に入力されたテレビ映像に重畳される電子番組表は、第２情報解読部３で解読されデータ１５として格納される。圧縮符号化率は、データ１５を参考にしながら、圧縮符号化率設定テーブル４を作成して、入力画像データの状況に合わせて、圧縮符号化率制御部５を起動させて処理される」（特許文献１［要約］参照）ことが記載されている。
【０００３】
また特許文献２には「シーンごとに符号化の制御を行うことにより、少ない符号量で最適な符号化処理を行う高能率符号化記録装置を提供する」（特許文献２［要約］参照）ことを課題とし、その解決手段として「ジャンル／キーワード検索回路で得られる符号化処理の対象となる映像のジャンルに関する情報と、この映像のデジタル画像データから画像特性算出回路で得られる画像特性情報を基にシーン分別回路で区切られたシーンごとの特性を表すシーン特性情報と、デジタル画像データを符号化処理することにより符号量制御回路で得られる符号量に関する符号化結果情報とを基に、シーン情報データベース１０４から符号化処理を制御するパラメータの補正値をデータベース管理回路１０８で取得し、取得された補正値によって符号化パラメータ補正回路１０９で高能率符号化記録装置１０内のパラメータを補正する」（特許文献２［要約］参照）ことが記載されている。
【先行技術文献】
【特許文献】
【０００４】
【特許文献１】特開２００２−４４６０４号公報
【特許文献２】特開２００６−３１１０７８号公報
【発明の概要】
【発明が解決しようとする課題】
【０００５】
放送波によりストリームとして放送される番組を録画及び再生可能な記録再生装置において、録画コンテンツは例えばＭＰＥＧ（Ｍｏｖｉｎｇ  Ｐｉｃｔｕｒｅ  Ｅｘｐｅｒｔｓ  Ｇｒｏｕｐ）などの符号化方式により圧縮されて記録されることがある。この場合、圧縮率を高めれば長時間録画時の記録媒体への記録効率は向上するが、その反面、再生時の画質（映像の品質）が低下する。したがって、記録媒体への記録効率と再生時の画質をともに考慮した記録を行うためには、適切な圧縮率を設定する仕組みが必要となる。
【０００６】
これに対し、例えば、上記特許文献１では記録対象となる番組の属するジャンル情報を基に圧縮率を決定している。特許文献２ではさらにシーン毎の画像データの特性を算出することで符号化処理を適宜行い，番組全体の圧縮効率を高めることを目的としている。
【０００７】
しかし、これらの発明は、ジャンルやシーンといった、記録時に判明している番組が持つ属性情報のみを使用して圧縮率を設定するものであるが、再生時に考慮するべき情報の使用については特に言及していない。そのため、圧縮を行ったコンテンツを再生した際にその番組をより良い画質で視聴する、といった面は考慮されていない。
【課題を解決するための手段】
【０００８】
上記課題を解決するために、本発明の一実施の態様は、例えばコンテンツが入力される入力部と、入力されたコンテンツを記録する記録部と、記録する際にコンテンツを圧縮処理する圧縮部と、記録したコンテンツを出力する出力部とを有し、圧縮部は、出力部に接続される表示装置の表示性能に応じてコンテンツの圧縮処理を行うように構成する。
【発明の効果】
【０００９】
上記手段によれば、コンテンツを効率良く録画することが可能となり、記録再生装置の使い勝手をより向上させることができる。
【図面の簡単な説明】
【００１０】
【図１】放送受信の例を示す図
【図２】実施例１における記録再生装置の構成の一例を示すブロック図
【図３】記録再生装置の録画処理の一例を示すシーケンス図
【図４】実施例１の圧縮パラメータ取得処理の一例を示すシーケンス図
【図５】実施例２における記録再生装置の一例を示すブロック図
【図６】実施例２の圧縮パラメータ取得処理の一例を示すシーケンス図
【図７】実施例３における記録再生装置の一例を示すブロック図
【図８】実施例３の圧縮パラメータ取得処理の一例を示すシーケンス図
【図９】実施例４における記録再生装置の一例を示すブロック図
【図１０】実施例４の圧縮パラメータ取得処理の一例を示すシーケンス図
【図１１】実施例５における記録再生装置の一例を示すブロック図
【図１２】実施例５の圧縮パラメータ取得処理の一例を示すシーケンス図
【図１３】実施例７における記録再生装置の一例を示すブロック図
【図１４（ａ）】実施例８における録画番組一覧画面の表示方法の一例を示す図
【図１４（ｂ）】実施例８における録画番組一覧画面の表示方法の一例を示す図
【発明を実施するための形態】
【００１１】
以下、実施形態の例（実施例）を説明する。ただし、本発明は本実施例に限定されない。
【実施例１】
【００１２】
＜デジタル放送における放送ストリーム受信方法の説明＞
地上のテレビ塔や放送衛星などにより放送されるデジタル放送を家庭で受信する場合の例を図１に示す。放送装置１（放送局など）から送出された番組は一度中継局２あるいは３へ伝送される。中継局２は衛星を使用し、また中継局３は地上に設置されているアンテナを使用して所定の搬送波にデータを載せて各家庭へと送信する。
【００１３】
各家庭では例えば受信用のアンテナを用いて中継局２あるいは３から送信されたデータを受信し、デジタル放送受信装置４に入力する。本実施例で対象とするデジタル放送受信装置４は、記録再生装置の機能を備えるものとする（以降、デジタル放送受信装置は記録再生装置という表記で統一する）。
【００１４】
記録再生装置４は入力されたデータから必要なデータを分離し、デコードする。またユーザが装置を操作する際に必要な設定メニュー画面なども記録再生装置４の中で生成し、デコード完了したデータと組み合わせて表示装置５に伝送する。
【００１５】
表示装置５は送信された映像データをパネルに表示し、音声データをスピーカから出力する。上記以外にも、入力の一例としては、インターネットなどのネットワーク経由で放送を伝送するコンテンツ配信サーバ６が挙げられる。また出力の一例としては、外部接続可能な他の記録再生機器７（例えばＢＤ（Ｂｌｕ−ｒａｙ  Ｄｉｓｃ）／ＤＶＤ（Ｄｉｇｉｔａｌ  Ｖｅｒｓａｔｉｌｅ  Ｄｉｓｃ）レコーダなど）があり、例えばＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）ケーブルなどで接続される。
【００１６】
放送局から送出される放送データの中には映像や音声データだけではなく，例えば字幕表示に使用する文字列を含む字幕データ、番組に関するタイトルや内容、出演者名などを記載した番組情報データ、サービス情報(ＳＩ：Ｓｅｒｖｉｃｅ  Ｉｎｆｏｒｍａｔｉｏｎ)などが含まれている。
【００１７】
＜装置の構成の説明＞
本実施例に係る記録再生装置の一例を図２に示す。入力端子２０１はデジタル放送を受信するアンテナや、ネットワーク端子などが接続され、デジタル放送のストリームが入力される。受信部２０２は入力されたデジタル放送を受信し、必要に応じて復調やデスクランブルなどを行い記録再生装置４が扱えるデータ形式にする。分離部２０３はデジタル放送受信部２０２から入力されるデータを、映像データや音声データ、その他のデータ（例えば字幕や番組情報など）に分離する。
【００１８】
デコード部２０４は分離部２０３によって分離された映像・音声データを復号し出力する（この例では映像デコード部と音声デコード部をまとめてデコード部として表記する）。高画質化処理部２０５はデコード部２０４によって復号された映像データに高画質化処理を施す。高画質化処理部２０５の動作有無や処理の効果の大小などは、例えばユーザ設定や記録再生装置４が備えるソフトウェアのアルゴリズムにより決定してもよい。
【００１９】
出力端子２０６はディスプレイなどの表示装置やその他の表示機器へ映像出力することができる（図２では、記録再生装置４は表示装置を備えていないが、備えていてもよい。その場合も同様に出力端子２０６に表示装置が接続されたものとして扱う）。
情報解析部２０７は、分離部２０３から得られた番組の情報や、高画質化処理部２０５の設定値などの情報を取得及び解析し、変換部２０８は情報解析部２０７の解析結果を圧縮パラメータに変換する。ここでの圧縮パラメータとは、圧縮符号化に利用するフォーマットの方式に応じたツールやアルゴリズムが使用する、圧縮率またはビットレート、あるいは画質など、圧縮符号化後の録画データに影響するパラメータの総称をいう。
【００２０】
圧縮部２０９は、変換部２０８で得た圧縮パラメータに基づき圧縮符号化を行う。例えば日本のデジタル放送の場合、放送データはＭＰＥＧ２−ＴＳ（Ｔｒａｎｓｐｏｒｔ  Ｓｔｒｅａｍ）形式で伝送され、この場合の圧縮符号化とは、例えばビットレート変換（トランスレートなど）、記録フォーマット変換（エンコード、トランスコードなど）を行うことをいう。記録フォーマット変換の具体例としては、ＭＰＥＧ２の映像データをＨ．２６４−ＡＶＣ（Ａｄｖａｎｃｅ  Ｖｉｄｅｏ  Ｃｏｄｉｎｇ）へ変換するなどがある。
【００２１】
記録部２１０は接続された記録媒体２１１へのデータの記録を行う（必要に応じて暗号化などの処理も行う）。記録媒体の例としては、例えばハードディスクドライブ（ＨＤＤ：Ｈａｒｄ  Ｄｉｓｋ  Ｄｒｉｖｅ）、半導体メモリ、ＢＤ／ＤＶＤなどの光ディスク類、磁気ディスク類などがある。再生部２１２は、再生時に記録媒体２１１から再生コンテンツを読み出し分離部２０３へ送出する（必要に応じて暗号化されたコンテンツを復号化する処理も行う）。
【００２２】
ユーザＩ／Ｆ（ＩｎｔｅｒＦａｃｅ）部２１３はリモコンなどによるユーザの操作を受け付ける。制御部２１４は、記録再生装置４の備えるソフトウェアを動作させ、ユーザ操作の解釈や各機能ブロックの制御を行う。メモリ２１５は各種データを必要に応じて記憶・蓄積する。各機能ブロックはシステムバス２１６により接続され各ブロック間でのデータのやりとりや命令の伝達を行うことが可能である。
【００２３】
本実施例における放送番組の録画時の動作の一例を説明する。図３に処理手順の一例を示す。ステップ（以下、Ｓと表記）３０１では、記録再生装置４は記録する番組を受信部２０２により受信（及び必要に応じて復調・デスクランブル処理）し、記録再生装置内部で処理可能なデータ形式とする。Ｓ３０２では、分離部２０３で映像・音声・その他のデータに分離し（例えばＭＰＥＧ２の場合は、ＰＩＤ（Ｐａｃｋｅｔ  ＩＤｅｎｔｉｆｉｅｒ）と呼ばれる数値によってデータの種類を判別し非多重化・分離する）、これらのデータを圧縮部２０９に伝送する。
【００２４】
Ｓ３０３では、圧縮録画を行うかを判定する。圧縮録画要否の設定は、ユーザによって設定メニューなどで明示的に指示されていてもよいし、記録再生装置があらかじめ設定されたアルゴリズムに基づき自動的に判定されてもよい。Ｓ３０３で圧縮を行う場合はＳ３０４へ遷移し圧縮パラメータを指定する処理を行う。
【００２５】
Ｓ３０３で圧縮を行わない場合は、Ｓ３０６へ遷移する。Ｓ３０４では、用いる圧縮符号化方式に対し、あらかじめ設定された値、もしくはあらかじめ設定されたアルゴリズムで算出した値、またはユーザによって指定された値などを圧縮パラメータとして用意する。Ｓ３０５では、Ｓ３０４で用意した圧縮パラメータに基づき圧縮処理を行う。
【００２６】
Ｓ３０６では、これまでのステップで生成されたデータを記録媒体へ記録する処理を行う。以上が録画処理となる。なお本実施例では、説明の簡略化のため映像データの圧縮のみを行うものとして説明するが、音声やその他のデータの圧縮が行われてもよい。
【００２７】
前記Ｓ３０４で圧縮パラメータを得る際に、Ｓ３０２で分離した番組情報などのデータを情報解析部２０７で解析し、その結果を変換部２０８により圧縮パラメータへ変換する方法がある。
【００２８】
圧縮パラメータの例としては、Ｈ．２６４−ＡＶＣによる圧縮を行う場合は、例えば可変ブロックサイズ動き補償、デブロッキング・フィルタ、重み付け予測などを行うツールの効果の大小を示す設定値などがある。
【００２９】
番組の属性情報に合わせて圧縮パラメータを定める方法としては、例えば、番組のジャンル情報を取得し、スポーツ番組であれば動きが多いシーンがあることが想定されるため、圧縮符号化率を低くし、高めのビットレートを維持する設定としたり、ニュース番組であれば、動きのあるシーンが少ないと推定し、圧縮符号化率を高くすることで、記憶効率を上げるなどがある。
【００３０】
本実施例ではこれらに加え、高画質化処理部２０５の備える機能やその設定値といった情報を使用する。この場合の図３のＳ３０４の圧縮パラメータ指定の内部処理にあたる処理手順を図４に示す。
【００３１】
Ｓ４０１では、分離部２０３により分離した各種データから番組の属性情報を含むデータ（例えばＳＩ情報など）を取得する。続いてＳ４０２では、記録再生装置４が備える高画質化処理部２０５の情報や設定されているパラメータを取得する。情報解析部２０７が高画質化処理部２０５の設定値などの情報を取得する場合、必ずしも出力端子２０６からの出力（例えば出力端子２０６に接続された表示装置による表示）を行う必要はない。すなわち高画質化処理部２０５は動作していなくてもよく、動作していない場合は、例えばメモリ２１５などに記憶されている高画質化処理部の初期設定を取得する。このことにより、デジタル放送を視聴せずに録画を行う場合などにも、本実施例の方法が適用できる。
【００３２】
Ｓ４０３では、前記の番組属性情報及び高画質化処理部の設定値を情報解析部２０７で解析する。Ｓ４０４ではＳ４０３での解析結果に基づき、あらかじめ定めたアルゴリズムに従い圧縮パラメータへ変換を行う。以上のようにして圧縮パラメータを得る。
【００３３】
例えば高画質化処理部２０５が超解像処理を行うことができる場合は、本記録再生装置により再生する際に、記録した番組の解像度を向上し表示することが可能になる。図４の処理で、高画質化処理部２０５が保持する設定値をＳ４０３で解析し、Ｓ４０４で圧縮パラメータに変換・取得し、圧縮時に使用することで、高画質化を考慮した圧縮が可能となる。
【００３４】
例えば、超解像処理の一種である再構成法と呼ばれる方式では、原画像を単純拡大するなどして得た高解像度画像を用意し、その高解像度画像から観測モデルなどと呼ばれるパラメータ群に基づく解像度変換を行うことで得た低解像度画像と、原画像との比較を行いそれらの差分が小さくなるように前記高解像度画像の画素値を補間し出力する処理を行う。
【００３５】
観測モデルは、例えば学習データや事前知識、あるいは推定値より構成されるパラメータを用いて解析対象とする比較用画像を生成するのに利用される。このモデルは、例えば画像のぼやけ・ぶれ、ノイズ、移動や変形などの高解像度画像から低解像度画像を生成するための各種情報を含む。
【００３６】
超解像処理が可能な高画質化処理部２０５の場合は、例えば上記観測モデルに該当する各種情報を設定値として情報解析部２０７で取得・解析し、番組の属性情報などと合わせて、その結果を変換部２０８により圧縮パラメータへ変換し、圧縮記録することで、その記録データに対し超解像処理による高画質化の効果を向上することが期待できる。この例では、記録番組を再生する時に超解像処理により解像感を向上することができるので、例えば解像感は失われる代わりにノイズを抑制する設定を図４の処理で適用するなどにより、高画質化を考慮した圧縮とすることができる。
【００３７】
本実施例により得た圧縮パラメータを使用し、記録データが適切な画質となるように圧縮符号化を制御することで、例えば前記記録データの映像データや音声データのビットレート（圧縮率）や、映像データの解像度、画角、ＧＯＰ（Ｇｒｏｕｐ  Ｏｆ  Ｐｉｃｔｕｒｅ）構造、色差フォーマット、フレームレート、あるいは映像の明度、彩度、ガンマカーブ、コントラスト、シャープネス（輪郭強調）・ぼやけ具合や、ＰＳＮＲ（Ｐｅａｋ  Ｓｉｇｎａｌ−ｔｏ−Ｎｏｉｓｅ  Ｒａｔｉｏ）などといった記録データ自身のパラメータが、本実施例を使用せずに圧縮記録する場合と比較して異なる結果になることがある。
【００３８】
また、本実施例では、高画質化処理部２０５の設定値を使用して圧縮パラメータを決定するかどうかを選択することができるように構成してもよい。すなわち、高画質化処理部２０５の設定値を使用しないことも選べるようにしてもよい。
【００３９】
高画質化処理部２０５の設定値を使用して圧縮パラメータを決定するかどうかを選択は、例えばユーザＩ／Ｆ部２１３に対してリモートコントローラーによる操作を行ったり、記録再生装置自身が備えるボタンの操作など、どのような手段によって行われてもよい。高画質化処理部２０５の設定値を使用するか否かで、上記記録データのパラメータが変化する。  本実施例によれば、高画質化処理によって補償される情報を圧縮処理時に利用できることで画質を考慮した圧縮記録が可能となる。なお、圧縮パラメータの種類は本実施例に限定されない。また、本実施例の適用により変化する記録データのパラメータは上記に限定されない。
【実施例２】
【００４０】
本実施例では、記録再生装置が表示装置を備える場合、あるいは記録再生装置に表示装置を接続している場合に、その表示装置が表示可能な画面サイズや、ディスプレイの種類などの表示性能に合わせて圧縮パラメータを設定する。
【００４１】
図５に記録再生装置の構成の一例を示す（再生時のストリーム経路は省略）。図５の記録再生装置４は、実施例１で説明した記録再生装置に、出力端子２０６を介して表示装置５を接続し、かつ表示装置の表示性能の情報を取得する表示性能取得部５０１を備えるようにしたものである。
【００４２】
表示性能取得部５０１は、表示装置５の画面サイズなどの情報（以下、表示性能情報）を取得することができ、例えば表示性能情報を高画質化処理部２０５へ伝達することで、その表示装置で表示する際の画質向上を図ることができる。
【００４３】
また、表示性能情報は、情報解析部２０７へ伝達され、その解析結果に基づいた変換により表示装置に適した圧縮パラメータを得ることが可能である。
【００４４】
本実施例における放送番組の録画時の動作の一例を説明する。録画時の処理は図３に示した手順と同様であるが、Ｓ３０５の圧縮パラメータの指定時に、図６に示す処理を行う。
【００４５】
実施例１と同様に、Ｓ４０１では、分離部２０３により分離した各種データから番組の属性情報を含むデータ（例えばＳＩ情報など）を取得する。続いてＳ４０２では、記録再生装置４が備える高画質化処理部２０５の情報や設定されているパラメータを取得する。本実施例では、さらにＳ６０１で記録再生装置に接続されている表示装置の表示性能を表す情報を表示性能取得部５０１で取得する。
【００４６】
なお、図６では、Ｓ６０１はＳ４０２と並行して行われるよう記載しているが、Ｓ４０２の前後で順次行うなど任意のタイミングで行われてもよい。
【００４７】
Ｓ４０３では、前記の番組属性情報及び高画質化処理部のパラメータ、表示装置の表示性能情報を情報解析部２０７で解析する。Ｓ４０４ではＳ４０３での解析結果に基づき、あらかじめ定めたアルゴリズムに従い圧縮パラメータへ変換を行う。以上のようにして圧縮パラメータを得る。
【００４８】
表示性能取得部５０１で取得する表示性能情報は、例えば画面サイズなどがある。画面サイズの大小に応じて、圧縮録画時のパラメータ設定を変化させる。表示装置に使用されるディスプレイの種類としては、例えばＬｉｑｕｉｄ  Ｃｒｙｓｔａｌ  Ｄｉｓｐｌａｙ（ＬＣＤ）、Ｐｌａｓｍａ  Ｄｉｓｐｌａｙ  Ｐａｎｅｌ（ＰＤＰ）、有機ＥＬ（Ｅｌｅｃｔｒｏ−Ｌｕｍｉｎｅｓｃｅｎｃｅ）ディスプレイ、Ｃａｔｈｏｄｅ  Ｒａｙ  Ｔｕｂｅ（ＣＲＴ）などが挙げられる。例えばこの種類に応じて、圧縮録画時のパラメータ設定を変化させる。
【００４９】
また、記録再生装置に表示装置が接続され、その表示装置が高画質化処理部を備える場合は、同様にＳ６０１で表示性能取得部５０１により高画質化処理部の設定値などを取得してもよい。
【００５０】
本実施例によれば、表示装置の性能に応じて画質と圧縮パラメータを変化させることで効果的な記録が可能になる。なお、本実施例において実施例１と必ずしも同時に実施される必要はない。また、表示性能情報の種別は本実施例に限定されない。
【実施例３】
【００５１】
本実施例では、記録再生装置の使用環境を検知し、当該環境において視聴に適した画質にとなるよう圧縮パラメータを設定する。図７に記録再生装置の構成の一例を示す。図７の記録再生装置４は、実施例１で説明した記録再生装置に、例えば使用環境における照明や外光の照度や色温度などの情報（以下、環境情報）を検出する環境情報取得部を備えるようにしたものである。環境情報取得部７０１は、記録再生装置が設置されている環境で、表示時の画質に影響のある照度や色温度などの情報を取得することができ、例えば環境情報を高画質化処理部２０５へ伝達することで、その周囲の明るさや照明の種類に合わせて再生時の画質向上を図ることができる。
【００５２】
また、環境情報は、情報解析部２０７へ伝達され、その解析結果に基づいた変換により、記録時に視聴環境に合わせた圧縮パラメータを得ることが可能である。
【００５３】
本実施例における放送番組の録画時の動作の一例を説明する。録画時の処理は図３に示した手順と同様であるが、Ｓ３０５の圧縮パラメータの指定時に、図８に示す処理を行う。Ｓ４０１では、分離部２０３により分離した各種データから番組の属性情報を含むデータ（例えばＳＩ情報など）を取得する。
【００５４】
続いてＳ４０２では、記録再生装置４が備える高画質化処理部２０５の情報や設定されているパラメータを取得する。本実施例では、Ｓ８０１において環境情報取得部７０１で例えば録画時の環境情報を取得する。図８では、Ｓ８０１はＳ４０２と並行して行われるよう記載しているが、Ｓ４０２の前後で順次行うなど任意のタイミングで行われてもよい。
【００５５】
Ｓ４０３では、前記の番組属性情報及び高画質化処理部のパラメータ、環境情報を情報解析部２０７で解析する。Ｓ４０４ではＳ４０３での解析結果に基づき、あらかじめ定めたアルゴリズムに従い圧縮パラメータへ変換を行う。
【００５６】
以上のようにして、環境情報取得部７０１が再生時に高画質化処理部２０５へ環境情報を伝達することで行う画質補正に加え、あらかじめ環境情報を利用した圧縮パラメータによる圧縮を行っておくことで、再生時の画質向上がより期待できる。
【００５７】
また、番組を録画中の環境情報を利用する方法の他に、ユーザが視聴する頻度の高い時間帯を集計・分析しメモリ２１５や記録媒体２１１などに記憶しておき、その時間帯の環境情報を取得し、圧縮パラメータに反映する方法も考えられる。
【００５８】
本実施例によれば、記録再生装置を使用する環境（視聴環境）に合わせた適切な画質に圧縮することで効果的な記録が可能になる。なお、本実施例において実施例１と必ずしも同時に実施される必要はない。また、実施例２と組み合わせて実施してもよい。また、環境情報の種別は本実施例に限定されない。
【実施例４】
【００５９】
本実施例では、記録再生装置の使用者（視聴者）が自らの好みに合わせてマニュアル（ユーザ操作）にて画質設定を調整している場合に適した画質にとなるよう圧縮パラメータを設定する。図９に記録再生装置の構成の一例を示す（再生時のストリーム経路は省略）。
【００６０】
図９の記録再生装置４は、実施例１で説明した記録再生装置に、ユーザが画質設定を調整することが可能なパラメータ操作部を備えるようにしたものである。パラメータ操作部９０１は、例えばユーザＩ／Ｆ２１３などを介して、ユーザのリモコン操作や記録再生装置が備えるボタン操作などによる画質設定の調整操作を受け付け解釈することができ、その調整値（以下、ユーザ設定情報）に基づき高画質化処理部２０５の挙動を変更することができる。
【００６１】
また、ユーザ設定情報は、情報解析部２０７へ伝達され、その解析結果に基づいた変換によりユーザ嗜好に合わせた圧縮パラメータを得ることが可能である。ユーザ設定値は、例えばメモリ２１５に記録され、一度設定した値を保持することも可能である。
【００６２】
本実施例における放送番組の録画時の動作の一例を説明する。録画時の処理は図３に示した手順と同様であるが、Ｓ３０５の圧縮パラメータの指定時に、図１０に示す処理を行う。本実施例では、Ｓ１００１において、パラメータ操作部９０１で設定され例えばメモリ２１５に保持されているユーザ設定値を取得する。図１０では、Ｓ１００１はＳ４０２の高画質化処理部のパラメータ取得と並行して行われるよう記載しているが、Ｓ４０２の前後で順次行うなど任意のタイミングで行われてもよい。これらの情報に基づき圧縮パラメータを得る。
【００６３】
本実施例によれば、ユーザの好みに合わせた画質に対応した圧縮を行うことで効果的な記録が可能になる。なお、本実施例において実施例１と必ずしも同時に実施される必要はない。また、実施例２及び／または３と組み合わせて実施してもよい。また、ユーザ設定値の設定方法及びユーザ設定値の保持方法は本実施例に限定されない。
【実施例５】
【００６４】
本実施例では、記録再生装置が備えるノイズ除去機能の設定により圧縮パラメータを設定する。図１１に記録再生装置の構成の一例を示す（再生時のストリーム経路は省略）。図１１の記録再生装置４は、実施例１で説明した記録再生装置にノイズ除去設定部１１０１を備えるようにしたものである。
【００６５】
ノイズ除去設定部１１０１はシステムバスで各機能ブロックと接続され、例えば高画質化処理部２０５や分離部２０３、デコード部２０４などで発生し得るノイズの除去を行う際の設定を保持する。
【００６６】
本実施例における放送番組の録画時の動作の一例を説明する。録画時の処理は図３に示した手順と同様であるが、Ｓ３０５の圧縮パラメータの指定時に、図１２に示す処理を行う。
【００６７】
本実施例では、Ｓ１２０１においてノイズ除去設定のパラメータ、すなわちどのノイズ除去機能が有効か、あるいはノイズ除去機能の効きがどの程度か、といった情報を取得する。図１２では、Ｓ１２０１はＳ４０２の高画質化処理部のパラメータ取得と並行して行われるよう記載しているが、Ｓ４０２の前後で順次行うなど任意のタイミングで行われてもよい。これらの情報に基づき圧縮パラメータを得る。
【００６８】
ノイズ除去機能には、例えばデジタルノイズリダクション（ＮＲ）や、モスキートノイズ除去などがある。
【００６９】
本実施例によれば、ノイズ除去による画質向上に加え、ノイズ除去により変化する画質を考慮した圧縮が可能になる。なお、本実施例において実施例１と必ずしも同時に実施される必要はない。また、実施例２乃至４との任意の組み合わせで実施してもよい。また、ノイズ除去機能の種別は本実施例に限定されない。
【実施例６】
【００７０】
前記実施例１に加え、音声モードや音声のエンコードパラメータを利用する。前記分離部Ｓ２０２で分離した音声データを、情報解析部２０７で解析し、音声モードや放送ストリームに変換（符号化）された際のエンコードパラメータに基づき、変換部２０８により圧縮パラメータを得る。処理手順は実施例１の図３と同様である。
【００７１】
本実施例によれば、実施例１の効果をより高めることが可能となる。本実施例は、実施例２乃至５との任意の組み合わせで実施してもよい。
【実施例７】
【００７２】
本実施例では、記録再生装置４は高画質化処理部２０５または出力端子２０６から出力される映像・音声データなどを、圧縮部２０９により再度圧縮符号化（エンコードまたはトランスコード）し、その変換後の出力データを、記録部２１０により再度記録、またはネットワーク経由出他機器へ伝送できるようにする。
【００７３】
図１３に記録再生装置の構成の一例を示す。図１３では、高画質化処理部２０５から出力された画質補正された表示データを、圧縮部２０９へ入力している。圧縮部２０９では、通常の録画同様に任意の圧縮符号化を行い、記録部２１０により記録媒体２１１へ記録する。または、ネットワーク出力部１３０１を介して、ネットワーク出力端子１３０２から例えば他の記録再生機器に伝送・配信する。
【００７４】
上記実施例１乃至６で得られた録画番組は、記録再生装置（実施例２は表示装置も含む）自身の情報を利用して圧縮パラメータを設定するため、その記録再生装置に最適化された画質になる。これに対し、例えばＢＤやＤＶＤなどの光学ディスクや、着脱可能なＨＤＤ（例えばｉＶＤＲ：Ｉｎｆｏｒｍａｔｉｏｎ  Ｖｅｒｓａｔｉｌｅ  Ｄｉｓｋ  ｆｏｒ  Ｒｅｍｏｖａｂｌｅ  ｕｓａｇｅ）などを介して他機器に実施例１乃至６で得られた録画番組を移動する場合、あるいはＬＡＮ（Ｌｏｃａｌ  Ａｒｅａ  Ｎｅｔｗｏｒｋ）やｉ−Ｌｉｎｋなどのネットワークや出力端子を利用して、別の再生装置や記録再生装置に録画番組を移動させる場合などに、高画質化処理後のデータを、再度圧縮し録画を行う。この場合は、高画質化処理部２０５の設定値を使用しない。その代わりに、高画質化処理部を備えない他の機器で再生された場合に適切となる画質となるような圧縮パラメータを用いる。
【００７５】
本実施例によれば、他の再生装置や記録再生装置に実施例１乃至６で得られた録画番組を移動させる場合に、高画質化したデータを再度圧縮符号化したデータを生成し移動させることで、番組を記録した記録再生装置に特化された画質でなく、より一般的に高画質とされる画質に録画番組を変換できるため、他機器での再生を行う場合にも適切な画質が得られる。
【００７６】
例えば、標準画質（ＳＤ：Ｓｔａｎｄａｒｄ  Ｄｅｆｉｎｉｔｉｏｎ）により放送され、そのまま録画された番組を高精細画質（ＨＤ：Ｈｉｇｈ  Ｄｅｆｉｎｉｔｉｏｎ）に変換（アップコンバート）して改めて記録することも可能である。
【実施例８】
【００７７】
前記実施例１は、番組を記録した記録再生装置が備える機能（例えば高画質化処理部など）の設定を用いて高画質の圧縮記録を行うものであり、また、この方法を使用するかしないかを選ぶことができる。本実施例では、ユーザが実施例１の方法で録画された番組を容易に判別できる仕組みを備える。
【００７８】
図１４（ａ）に本実施例における画面表示の一例を示す。１４０１は表示装置であり、１４０２は記録再生装置で記録した番組（録画番組）を一覧表示する録画番組一覧画面である。例として、録画番組一覧画面１４０２では、番組を録画した日付、録画時間、録画したチャンネル名、圧縮率により分類されている録画モード（図１４では『モード』と表記）、録画した番組名が表示されているものとする。
【００７９】
この例の録画モードは、『ＴＳ』が非圧縮録画（放送データをそのまま記録）、『ＴＳＥ』がビットレート二分の一相当に圧縮して録画した場合、『ＴＳＸ８』がビットレート八分の一相当に圧縮して録画した場合、を表すものとする。本実施例では実施例１の方法で圧縮記録されたコンテンツを容易に判別できるよう、『高画質化』という列を追加している（１４０３の点線部）。この列に丸印『●』が表示されている番組は、実施例１の方法（高画質化処理部などの設定値を用いて圧縮記録する）により記録された番組であることを示している。
【００８０】
別の例として、専用の録画モードを設けてもよい。図１４（ｂ）に示すように、通常の圧縮録画を示す録画モード（この例ではＴＳＥ、ＴＳＸ８）に加えて、末尾に『−ＳＰ』を付加した別の録画モードを用意し、実施例１の方法で録画されたコンテンツにはこの録画モードの表示となる。
【００８１】
本実施例により、実施例１による圧縮記録を行った番組かそうでない番組かを容易に判別できるようになり、使い勝手が向上する（例えば実施例７で述べたような他機器に記録番組を移動する場合などに、再度圧縮録画してから移動すべきかどうかを判断しやすくなる）。本実施例は実施例２乃至６と任意に組み合わせて実施してもよい。また、容易に判別するための表示方法、および録画モードの名称は本実施例に限定されない。
【符号の説明】
【００８２】
１  放送装置
２  中継器（放送衛星）
３  中継器（テレビ塔）
４  記録再生装置（デジタル放送受信装置）
５  表示装置
６  配信サーバ
７  記録再生機器
２０１  入力端子
２０２  受信部
２０３  分離部
２０４  デコード部
２０５  高画質化処理部
２０６  出力端子
２０７  情報解析部
２０８  変換部
２０９  圧縮部
２１０  記録部
２１１  記録媒体
２１２  再生部
２１３  ユーザＩ／Ｆ部
２１４  制御部
２１５  メモリ
２１６  システムバス
５０１  表示性能取得部
７０１  環境情報取得部
９０１  パラメータ操作部
１１０１  ノイズ除去設定部
１３０１  ネットワーク出力部
１３０２  ネットワーク出力端子
１４０１  表示装置
１４０２  録画番組一覧画面
１４０３  高画質圧縮モード表示列
１４０４  録画モード表示列
【図１】
2011139193.tif 000003
【図２】
2011139193.tif 000004
【図３】
2011139193.tif 000005
【図４】
2011139193.tif 000006
【図５】
2011139193.tif 000007
【図６】
2011139193.tif 000008
【図７】
2011139193.tif 000009
【図８】
2011139193.tif 000010
【図９】
2011139193.tif 000011
【図１０】
2011139193.tif 000012
【図１１】
2011139193.tif 000013
【図１２】
2011139193.tif 000014
【図１３】
2011139193.tif 000015
【図１４（ａ）】
2011139193.tif 000016
【図１４（ｂ）】
2011139193.tif 000017